(57)【要約】  【課題】好適に係合位置から開放位置へとし得る係合装置並びに当該係合装置の構造を採用した転写具を提供する。  【解決手段】転写具Ａは、転写具本体１側の垂下壁１１とアーム２側の側壁２１とを相対的に回動させて摺接縁２４を案内縁１４の一端部１４ａから他端部１４ｂにかけて順次圧接させることにより、係合面２３を係合面１３の巾方向に徐々に移動させて両方の係合体１３、２３を相対的に退避させる相対退避動作Ｓを行わせる係合装置Ｘを具備している。  【選択図】図３
2006181983.tif 000002
【特許請求の範囲】
【請求項１】
第一の係合面を有する第一の係合体と、前記第一の係合面と対面し得る第二の係合面を有する第二の係合体とをそれぞれ具備する第一の部材と第二の部材とを有し、
両方の係合体を一時的に退避させた相対退避動作を経て、両方の係合面が対面する係合位置と当該両方の係合面が離間した開放位置とを相互にとり得るように構成したものであって、
前記第一の係合体に形成され一端側から他端側にかけて前記第一の係合面の巾寸法が漸次大きくなるように設定した案内縁と、
前記第二の係合体に形成され前記案内縁に対して傾斜した方向に延び当該案内縁に当接し得る摺接縁と、
前記係合位置から前記開放位置へと移動させようとする外力が作用した場合に前記摺接縁を前記案内縁の一端側から他端側にかけて順次圧接させる位置制御手段とを具備することを特徴とする係合装置。
【請求項２】
前記第一の係合面と前記第二の係合面とを一端側が近接するように傾斜させている請求項１記載の係合装置。
【請求項３】
前記位置制御手段を前記第一の部材と前記第二の部材とを回動可能に接続する回動機構としている請求項１又は２記載の係合装置。
【請求項４】
前記案内縁の一端側を、回動先端側に設定している請求項３記載の係合装置。
【請求項５】
前記回動機構の回動軸を、前記第一の部材と前記第二の部材とを前記第一の係合面の巾方向に移動させて前記相対退避動作を行わせ得るように構成している請求項３又は４記載の係合装置。
【請求項６】
前記第一の部材及び前記第二の部材のち少なくとも何れか一方を前記第一の係合面の巾方向に撓ませて前記相対退避動作を行わせ得るように構成している請求項１、２、３、４又は５記載の係合装置。
【請求項７】
前記案内縁に面取り加工を施している請求項１、２、３、４、５又は６記載の係合装置。
【請求項８】
前記第一の部材に設けた突条を前記第一の係合体とし、当該突条の一面を前記第一の係合面とするとともに突条の突出端に前記案内縁を形成し、
第二の部材に設けた突条を前記第二の係合体とし、当該突条の一面を前記第二の係合面とするとともに突条の突出端に前記摺接縁を形成したものであって、
両方の突条のうち少なくとも何れか一方に、前記開放位置から前記係合位置へと移動させようとする外力が作用した場合に前記相対退避動作を行わせる退避案内面を形成している請求項１、２、３、４、５、６又は７記載の係合装置。
【請求項９】
転写物を紙等の転写対象物に転写し得る転写ヘッドを有する転写具本体と、当該転写具本体に付帯し前記転写対象物を裏当ててなるアームと、前記転写具本体と前記アームとを係合させ得る係合装置とを具備してなる転写具であって、
前記係合装置が、前記転写具本体又は前記アームの何れか一方及び他方に設けられた第一の部材及び第二の部材を具備し、当該第一の部材及び第二の部材が、第一の係合面を有する第一の係合体と、前記第一の係合面と対面し得る第二の係合面を有する第二の係合体とをそれぞれ有し、
両方の係合体を一時的に退避させた相対退避動作を経て、両方の係合面が対面し且つ前記アームが当該アームと前記転写ヘッドの先端部との間で転写対象物を挟持し得る係合位置と、前記両方の係合面が離間し且つ前記転写ヘッドの先端部を表出させてなる開放位置とを相互にとり得るように構成したものであり、
前記第一の係合体に形成され一端側から他端側にかけて前記第一の係合面の巾寸法が漸次大きくなるように設定した案内縁と、
前記第二の係合体に形成され前記案内縁に対して傾斜した方向に延び当該案内縁に当接し得る摺接縁と、
前記係合位置から前記開放位置へと移動させようとする外力が作用した場合に前記摺接縁を前記案内縁の一端側から他端側にかけて順次圧接させる位置制御手段とを具備することを特徴とする転写具。
【請求項１０】
前記第一の係合面と前記第二の係合面とを一端側が近接するように傾斜させている請求項９記載の転写具。
【請求項１１】
前記位置制御手段を、前記転写具本体と前記アームとを回動可能に接続する回動機構としている請求項９又は１０記載の転写具。
【請求項１２】
前記案内縁の一端側を、回動先端側に設定している請求項１１記載の転写具。
【請求項１３】
前記第一の部材を前記転写具本体に設けた側壁として当該側壁に設けた突条を前記第一の係合体とし、当該突条の一面を前記第一の係合面とするとともに突条の突出端に前記案内縁を形成し、
前記第二の部材を前記アームに設けた側壁として当該側壁に設けた突条を前記第二の係合体とし、当該突条の一面を前記第二の係合面とするとともに突条の突出端に前記摺接縁を形成したものであって、
両方の突条を前記側壁における回動基端付近に対面させて形成している請求項１２記載の転写具。
【請求項１４】
前記回動機構の回動軸を、前記第一の部材と前記第二の部材とを前記第一の係合面の巾方向に移動させて前記相対退避動作を行わせ得るように構成している請求項１１、１２又は１３記載の転写具。
【請求項１５】
前記第一の部材及び前記第二の部材のうち少なくとも何れか一方を前記第一の係合面の巾方向に撓ませて前記相対退避動作を行わせ得るように構成している請求項９、１０、１１、１２、１３又は１４記載の転写具。
【請求項１６】
前記第一の部材を前記転写具本体に設けた側壁として当該側壁に設けた突条を前記第一の係合体とし、当該突条の一面を前記第一の係合面とするとともに突条の突出端に前記案内縁を形成し、
前記第二の部材を前記アームに設けた側壁として当該側壁に設けた突条を前記第二の係合体とし、当該突条の一面を前記第二の係合面とするとともに突条の突出端に前記摺接縁を形成したものであって、
少なくとも何れか一方の前記側壁を樹脂により構成したものとして、当該側壁の厚み方向の弾性変形を利用して前記相対退避動作を行わせ得るように構成している請求項１５記載の転写具。
【請求項１７】
前記第一の部材を前記転写具本体に設けた側壁として当該側壁に設けた突条を前記第一の係合体とし、当該突条の一面を前記第一の係合面とするとともに突条の突出端に前記案内縁を形成し、
前記第二の部材を前記アームに設けた側壁として当該側壁に設けた突条を前記第二の係合体とし、当該突条の一面を前記第二の係合面とするとともに突条の突出端に前記摺接縁を形成したものであって、
少なくとも何れか一方の前記突条に、前記開放位置から前記係合位置へと移動させようとする外力が作用した場合に前記相対退避動作を行わせる退避案内面を形成している請求項９、１０、１１、１２、１３、１４、１５又は１６記載の転写具。
【請求項１８】
前記案内縁に面取り加工を施している請求項９、１０、１１、  １２、１３、１４、１５、１６又は１７記載の転写具。
【発明の詳細な説明】
【技術分野】
【０００１】
本発明は、２つの部材を好適に係合／係合解除し得る係合装置並びに当該係合装置を採用した転写具に関するものである。
【背景技術】
【０００２】
従来、一方の部材と他方の部材とを互いに係合し得る爪部等によって係合させる構造を採用した係合装置が広く用いられている。このような係合装置について詳細に説明すると、一方の部材及び他方の部材に係合面を有する係合体それぞれ設け、両方の係合面が対面する係合位置と当該両方の係合面が離間した開放位置とを相互にとり得るように構成しており、特に、係合位置から開放位置へ、あるいは開放位置から係合位置に至る過程において、両方の係合体を相対的に退避させた状態を一時的に経るように構成している（例えば、特許文献１及び特許文献２参照）。
【特許文献１】実公平７−１８６７６号公報（第１図等）
【特許文献２】特許第３４５９６８６号公報（第１図等）
【発明の開示】
【発明が解決しようとする課題】
【０００３】
しかしながら、例えば上述のような係合装置において頻繁に係合位置とを開放状態とを繰り返すようなものであると、使用者にとって係合位置を解除する際に予め係合を解除する操作が面倒に感じられてしまう場合がある。また、前記係合を解除する操作を忘れる等により係合位置のまま強引に係合位置を解除しようとして爪部を破損してしまう可能性がある。
【０００４】
本発明は、このような不具合に着目したものであり、好適に係合位置から係合解除状態へとし得る係合装置並びに当該係合装置の構造を採用し、使用者にとって好適に使用され得る転写具を提供する。
【課題を解決するための手段】
【０００５】
本発明は、このような目的を達成するために、次のような手段を講じたものである。すなわち、本発明に係る係合装置は、第一の係合面を有する第一の係合体と、第一の係合面と対面し得る第二の係合面を有する第二の係合体とをそれぞれ具備する第一の部材と第二の部材とを有し、両方の係合体を一時的に退避させた相対退避動作を経て、両方の係合面が対面する係合位置と当該両方の係合面が離間した開放位置とを相互にとり得るように構成したものであって、第一の係合体に形成され一端側から他端側にかけて第一の係合面の巾寸法が漸次大きくなるように設定した案内縁と、前記第二の係合体に形成され案内縁に対して傾斜した方向に延び当該案内縁に当接し得る摺接縁と、係合位置から開放位置へと移動させようとする外力が作用した場合に摺接縁を案内縁の一端側から他端側にかけて順次圧接させる位置制御手段とを具備することを特徴とする。
【０００６】
このようなものであれば、第一の部材と第二の部材とを相対的に移動させて前記摺接縁を案内縁の一端側から他端側にかけて順次圧接させることにより、第二の係合面を第一の係合面の巾方向に徐々に移動させて両方の係合体を相対的に退避させる構成とすることが可能である。従って、係合位置から開放位置への移行を徐々に行っていくことにより両方の係合体に掛かる負担を軽減させることができるとともに少ない作用力で係合を解除し得るものとすることができる。また、使用者に対しては、係合を解除する際に一定時間抵抗感を与えることができるので係合位置から開放位置へと移行する動作を明確に察知させることが可能である。また、少ない外力により係合を解除しうる構成としても、一定時間外力を作用させないと係合が解除されないため、不意に係合が解除されてしまうといったことが起こりにくいものとすることができる。
【０００７】
また、本発明に係る転写具は、転写物を紙等の転写対象物に転写し得る転写ヘッドを有する転写具本体と、当該転写具本体に付帯し前記転写対象物を裏当ててなるアームと、前記転写具本体と前記アームとを係合させ得る係合装置とを具備してなる転写具であって、前記係合装置が、前記転写具本体又は前記アームの何れか一方及び他方に設けられた第一の部材及び第二の部材を具備し、当該第一の部材及び第二の部材が、第一の係合面を有する第一の係合体と、前記第一の係合面と対面し得る第二の係合面を有する第二の係合体とをそれぞれ有し、両方の係合体を一時的に退避させた相対退避動作を経て、両方の係合面が対面し且つ前記アームが当該アームと前記転写ヘッドの先端部との間で転写対象物を挟持し得る係合位置と、前記両方の係合面が離間し且つ前記転写ヘッドの先端部を表出させてなる開放位置とを相互にとり得るように構成することを特徴としている。
【０００８】
このようなものであれば、転写具本体とアームとの間に転写対象物を狭持して転写物を好適に転写し得る状態から、係合位置を解除して開放位置として通常の転写具と同様に机上に載置された転写対象物に好適に転写物を転写し得る状態へと好適に移行させ得るものとすることができる。
【０００９】
係合位置から開放位置へと移行させる際に、摺接縁が案内縁を一端側から他端側にかけて順次圧接する動作を好適に行うようにするためには、第一の係合面と第二の係合面とを一端側が近接するように傾斜させることが望ましい。
【００１０】
また、簡素な構造で且つ動作精度の高い位置制御手段とするためには、位置制御手段を第一の部材と第二の部材とを回動可能に接続する回動機構とすることが望ましい。そして回動機構を採用した場合、回動軸に係る負担を少なく構成するためには、案内縁の一端側を、回動先端側に設定することにより、移動量が相対的に大きくなる回動先端側から摺接縁を順次圧接させる構成として、より少ない回動範囲で開放位置とし得るものとすることができる。
【００１１】
また、格別の構造を別途設けることなく相対退避動作を行わせるためには、回動機構の回動軸を、第一の部材と第二の部材とを前記第一の係合面の巾方向に移動させて前記相対退避動作を行わせ得るように構成することが望ましい。
【００１２】
また、好適に相対退避動作を行わせる別の手段として、第一の部材及び第二の部材のうち少なくとも何れか一方を第一の係合面の巾方向に撓ませて相対退避動作を行わせ得るように構成しているものを挙げることができる。
【００１３】
特に、第一の部材を転写具本体に設けた側壁として当該側壁に設けた突条を第一の係合体とし、当該突条の一面を第一の係合面とするとともに突条の突出端に案内縁を形成し、第二の部材をアームに設けた側壁として当該側壁に設けた突条を第二の係合体とし、当該突条の一面を第二の係合面とするとともに突条の突出端に摺接縁を形成したものとして、両方の突条を側壁における回動基端付近に対面させて形成するものとすれば、回動先端部に転写ヘッド等の転写具における主要部分を配置しやすい構成とすることができる。
【００１４】
そして転写具において好適に相対退避動作を行わせる具体的な構造として、前記構成に加え、少なくとも何れか一方の側壁を樹脂により構成したものとして、当該側壁の厚み方向の弾性変形を利用して相対退避動作を行わせ得るように構成しているものが好ましい。
【００１５】
また、開放位置から係合位置へと移行する際に好適に相対退避動作を行わせる構成としては、前記構成に加え、少なくとも何れか一方の突条に、開放位置から係合位置へと移動させようとする外力が作用した場合に相対退避動作を行わせる退避案内面を形成していることが好ましい。
【００１６】
案内縁と摺接縁とに掛かる負荷を緩和してより好適に第二の係合面を巾方向に移動させ得るものとするためには、案内縁に面取り加工を施すことが望ましい。ここで、面取り加工の具体的な態様としては、例えばＣ面加工や、Ｒ面加工等を挙げることができる。
【発明の効果】
【００１７】
本発明に係る係合装置によれば、第一の部材と第二の部材とを相対的に移動させて前記摺接縁を前記案内縁の一端側から他端側にかけて順次圧接させることにより、第二の係合面を第一の係合面の巾方向に徐々に移動させて両方の係合体を相対的に退避させる構成とすることが可能である。従って、係合位置から開放位置への移行を徐々に行っていくことにより両方の係合体に掛かる負担を軽減させることができ、ひいては耐久性を有効に向上させるものとすることができる。また、係合位置において確実な係合状態を保ちつつ、少ない作用力で係合を解除し得るものとすることができる。さらに、使用者に対しては、係合を解除する際に一定時間抵抗感を与えることができるので係合位置から開放位置へと移行する動作を明確に察知させることが可能である。
【００１８】
そして、上述した係合装置を具備した本発明に係る転写具によれば、転写具本体とアームとの間に転写対象物を狭持して転写物を好適に転写し得る係合位置をとった状態から、係合位置を解除して開放位置として通常の転写具と同様に机上に載置された転写対象物に好適に転写物を転写し得る状態へと好適に移行させ得るものとすることができる。特に、係合体に掛かる負担を有効に軽減することで転写具自体の耐久性を有効に向上させることができる。
【発明を実施するための最良の形態】
【００１９】
以下、本発明の一実施の形態に係る係合装置Ｘを具備する転写具Ａについて図面を参照して説明する。
【００２０】
この転写具Ａは、図１及び図２に示すように、テープ糊Ｔやそれを送り出す送出機構部品を収容してなる転写具本体１と糊Ｔｂを転写する際に転写具本体１との間に紙片Ｐを差し挟んで裏当てのためのアーム２と、転写具本体１とアーム２とを回動可能に接続する位置制御手段たる回動機構Ｒを具備しているものである。そして転写具Ａは、転写具本体１とアーム２との間に紙片Ｐを差し挟んで糊Ｔｂを転写し得る図１に示す係合位置Ｋと、アーム２を下方に回動させて後述する転写ヘッドＨを表出させて机上等に載置された紙片Ｐに糊Ｔｂを転写し得る図２に示す開放位置Ｏとをとり得るように構成しているものである。
【００２１】
ここで、本実施形態に係る転写具Ａは、後述する転写具本体１の第一の部材たる垂下壁１１から突出させた突起１２に形成された案内縁１４と、アーム２の後述する側壁２１から突出させた突条２２に形成された摺接縁２４と、突起１２及び突条２２にそれぞれ形成された第一の係合面及び第二の係合面として機能する係合面１３、２３同士が対面する係合位置Ｋから係合面１３、２３同士が離間した開放位置Ｏへと移動させようとする外力が作用した場合に摺接縁２４を案内縁１４の一端部１４ａから他端部１４ｂにかけて順次圧接させて突起１２と突条２２とを一時的に退避させる相対退避動作Ｓを行わせる位置制御手段たる回動機構Ｒとによって構成される係合装置Ｘを具備しているものである。
【００２２】
以下、転写具Ａの具体的な構造について図１、図２、図３、図４及び図５を用いて詳述する。
【００２３】
転写具本体１は、ケース１Ｃ及び枠体１０を主たる構成要素としている。
【００２４】
ケース１Ｃは、概ね半割構造をなすケース本体Ｃ１と詰め替えカートリッジＣ２とで構成することとしている。また、詰め替えカートリッジＣ２の前端部に転写ヘッドＨを取り付けている。そして、消耗部品たるテープ糊Ｔと、テープ糊Ｔを紙片Ｐに供給するための送出機構部品の一部である巻き出しスプールＳＰ１、巻き取りスプールＳＰ２、転写ヘッドＨ等を交換部品として、当該詰め替えカートリッジＣ２に付帯させた状態で新品と交換するようにしている。そして、ケース本体Ｃ１は、通常は枠体１０やアーム２とは分離させない状態で詰め替えカートリッジＣ２のみを交換できるように構成されたものであり、テープ糊Ｔを紙片Ｐに供給するための送出機構部品の一部である非交換部品を保持している。
【００２５】
枠体１０は、ケース１Ｃを保持して転写具Ａを使用可能な状態とする機能と、ケース１Ｃをケース本体Ｃ１と詰め替えカートリッジＣ２とに分解可能な状態とする機能とを兼ね備えたものである。具体的にこの枠体１０は、上下に連続して開口する枠状をなすものであり、合成樹脂の一体成形品としている。また、ケース本体Ｃ１を枠体１０に回動可能に支持している。そして、枠体１０の下方から転写ヘッドＨにおける転写ローラＲＴを表出させている。
【００２６】
そして、糊Ｔｂを紙片Ｐの端辺に正確に沿って塗布するために紙片Ｐを正確に位置決めするとともに、係合位置Ｋにおいてアーム２と係合させるために、枠体１０は下方に第一の部材たる垂下壁１１を一体に形成している。ここで、図３は垂下壁１１が紙片Ｐと接する側とは反対側である外側を示す平面図であり、図４は、垂下壁１１における回動基端付近を示す要部拡大図である。
【００２７】
垂下壁１１は、図３及び図４に示すように、当該垂下壁１１の最下部における回動基端付近において、突条たる突起１２をアーム２の後述する側壁２１に向かって突出させている。そしてこの突起１２の上側面を第一の係合面たる係合面１３としている。さらに、突起１２の突出端を一端側たる回動先端側に設定した一端部１４ａから他端側たる回動基端側に設定した他端部１４ｂにかけて前記第一の係合面の巾寸法たる突出巾が漸次大きくなる案内縁１４を形成している。言い換えれば、この案内縁１４は、第二の部材たる側壁２１に向けて一端部１４ａから他端部１４ｂにかけて突出巾を漸次大きくなるように設定している。そして、係合面１３の裏面側に面取り加工を施すことにより退避案内面１５を形成している。
【００２８】
このアーム２は、図１に示すように、紙片Ｐを挿通させるために枠体１０との間に所定高さの挿通空間を前後に亘って形成するものである。そして、このアーム２は、図５に示すように、側壁２１を係合位置Ｋにおいて垂下壁１１と対向し得る様に位置付けている。
【００２９】
側壁２１は、その上縁を部分的に垂下壁１１に向かって巾方向に突出させることにより第２の係合体たる突条２２を形成している。そして、この突条２２の下側面を上述した突起１２の係合面１３と対面し得る第二の係合面たる係合面２３とするとともに、突条２２の突出端の下面側を上述した案内縁１４に傾斜した方向で圧接し得る摺接縁１４としている。そして、突条１２の突出端の上面側すなわち摺接縁２４の裏面側に面取り加工を施すことにより、外力によってアーム２を開放位置Ｏから係合位置Ｋへと動作させる場合に、上述した退避案内面１５と当接し得る退避案内面２５を形成している。
【００３０】
回動機構Ｒは、転写具本体１とアーム２とを回動可能に接続しているとともに、内部に破線で示す弾性体Ｒ１を内蔵させることにより転写具本体１及びアーム２とを、長手方向に直交する方向、言い換えれば垂下壁１１及び側壁２１の厚み方向に一時的に相対移動させ得る構造を採用している。言い換えれば、転写具本体１とアーム２とが巾方向に一時的に相対移動しても弾性体Ｒ１の弾性回復力によって元の位置に復元し得るように構成している。また、本実施形態では弾性体Ｒ１としてコイルバネを採用しているが、この回動機構Ｒにおける転写具本体１とアーム２とを相対移動させる構造は、本実施形態のようにコイルバネを採用する他に、板バネ等を用いた周知の構成を採用することができる。
【００３１】
しかして本実施形態に係る転写具Ａは、係合装置Ｘを具備することにより、転写具本体１とアーム２とを回動可能に支持しているとともに、アーム２がアーム２と転写ヘッドＨの先端部との間で紙片Ｐを挟持し得る図１に示す係合位置Ｋと、転写ヘッドＨの先端部を表出させてなる図２に示す開放位置Ｏとを、相対退避動作Ｓを経ることによって相互にとり得るように構成しているものである。
【００３２】
係合装置Ｘは、垂下壁１１に設けた突起１２の案内縁１４と、側壁２１に形成した突条２２の摺接縁２４と、係合位置Ｋから開放位置Ｏへとアーム２を移動させようとする外力が作用した場合に摺接縁２４を案内縁１４の一端部１４ａから他端部１４ｂにかけて順次圧接させる位置制御手段たる回動機構Ｒによって主に構成されているものである。なお、図５（ａ）、図６（ａ）及び図７（ａ）においては動作態様を示す正面を示し、図５（ｂ）、図６（ｂ）及び図７（ｂ）においては動作態様における上面を模式的に示している。
【００３３】
以下、係合装置Ｘによって転写具Ａが係合位置Ｋから相対退避動作Ｓを経て開放位置Ｏとなる一連の動作を図５、図６及び図７を用いて詳述する。
【００３４】
図５は、係合装置Ｘが係合位置Ｋに位置した状態を示している。この係合位置Ｋにおいて図５（ａ）に示すようにアーム２側の突条２２が垂下壁１１側の突起１２の図示上側に位置し、両方の係合面１３、２３が対面した状態となっている。厳密に説明すると、この係合位置Ｋにおいて、外力により少しでも開放位置Ｏとする方向へアーム２を回動させると、回動先端側が回動基端側に比べて動作量が大きいため、案内縁１４の一端部１４ａがより強く摺接縁２４に押し付けられ、一端部１４ａがより近接して接した状態で両方の係合面１３、２３が傾斜して対面することとなる。
【００３５】
そして、上述した係合位置Ｋから開放位置Ｏとする方向の外力を加えると、図６に示すように、突起１２と突条２２とが一時的に退避する相対退避動作Ｓを行う。この状態について詳述すると、摺接縁２４が案内縁１４の一端部１４ａから他端部１４ｂにかけて順次圧接していくことにより摺接縁２４の位置と案内縁１４の位置とが巾方向すなわち垂下壁１１の厚み方向に離間することとなる。このとき、上述したように回動機構Ｒは転写具本体１とアーム２とを巾方向に移動させ得る構成を採用しており、さらに、合成樹脂からなる垂下壁１１が厚み方向に撓んでいくことにより、突起１２と突条２２とが巾方向へ離間する相対退避動作Ｓを許容している。
【００３６】
図６に示した状態からさらにアーム２を回動させると、図７に示すように、摺接縁２４が案内縁１４を他端部１４ｂまで圧接した後にアーム２の突条２２が突起１２よりも下方に位置する開放位置Ｏとなる。
【００３７】
一方、図７に示した開放位置Ｏから係合位置Ｋへと外力によりアーム２を回動させると、突起１２と突条２２とにそれぞれ形成された退避案内面１５、２５同士が当接することにより、突起１２と突条２２とが相対退避動作Ｓを行うこととなり、図５に示す係合位置Ｋへと位置することとなる。
【００３８】
以上のように、本実施形態に係る転写具Ａは、転写具本体１とアーム２との間に転写対象物たる紙片Ｐを狭持して転写物を好適に転写し得る係合位置Ｋをとった状態から、係合位置Ｋを解除して開放位置Ｏとして通常の転写具Ａと同様に例えば机上に載置された紙片Ｐに好適に転写物を転写し得る状態へと好適に移行させ得るものとすることができる。特に、係合装置Ｘを採用することにより、転写具本体１とアーム２とに設けた第一の係合体たる突起１２と第二の係合体たる突条２２に掛かる負担を有効に軽減することで転写具Ａ自体の耐久性を有効に向上させることができる。
【００３９】
そして、本実施形態に係る係合装置Ｘは、第一の係合体たる突起１２に形成された案内縁１４と、第二の係合体たる突条２２に形成した摺接縁２４と、相対退避動作Ｓを行わせる回動機構Ｒたる位置制御手段とを具備しているので、転写具本体１に設けた第一の部材たる垂下壁１１とアーム２に形成された第二の部材たる側壁２１とを相対的に移動させて摺接縁２４を案内縁１４の一端部１４ａから他端部１４ｂにかけて順次圧接させることにより、係合面２３を係合面１３の巾方向に徐々に移動させて両方の係合体１３、２３を相対的に退避させる相対退避動作Ｓを行わせる構成とすることが可能である。従って、係合位置Ｋから開放位置Ｏへの移行を徐々に行わせることにより突起１２と突条２２とに掛かる負担を軽減させることができるとともに、少ない作用力で突起１２と突条２２との係合を解除し得るものとすることができる。また使用者に対しては、係合を解除する際に摺接縁２４が案内縁１４を摺接する間の一定時間において抵抗感を与えることができるので係合位置Ｋから開放位置Ｏへと移行する動作を明確に察知させることが可能である。また、少ない外力により係合を解除しうる構成としても、一定時間外力を作用させないと係合が解除されないため、不意に係合が解除されてしまうといったことが起こりにくいものとすることができる。
【００４０】
また、係合位置Ｋにおいて、本実施形態では係合位置Ｋにおいてアーム２を下方へ回動させ始める時点で、両方の係合面１３、２３を案内縁１４の一端部１４ａ側に近接するように傾斜するように構成することにより、摺接縁２４が案内縁１４を一端部１４ａから他端部１４ｂにかけて順次圧接する動作を好適に行わせている。
【００４１】
そして位置制御手段として、転写具本体１とアーム２とを回動可能に接続する回動機構Ｒを採用しているので、簡素な構造で且つ高い動作精度を実現している。そして、案内縁１４の一端部１４ａを、回動先端側に設定することにより、移動量が相対的に大きくなる回動先端側から摺接縁２４を順次圧接させる構成として、より少ない回動範囲並びに外力で開放位置Ｏとし得るとともに、相対退避動作Ｓによって回動機構Ｒに掛かる負担を少ないものとすることができる。また、両方の係合面１３、２３が密接に当接するように構成している場合であっても、開放位置Ｏに向けて少しでもアーム２を回動させれば摺接縁２４が案内縁１４の一端部１４ａから他端部１４ｂへ順次圧接する状態となるため、好適に相対退避動作Ｓを行わせることができる。また、回動機構Ｒを、相対退避動作Ｓを行う際に転写具本体１とアーム２とが巾方向に移動し得るように構成しているので、突起１２と突条２２とに相対退避動作Ｓを行わせるための格別の構造を付与することを有効に回避している。
【００４２】
加えて、垂下壁１１を巾方向に撓ませて相対退避動作Ｓを行わせ得るように構成しているので、相対退避動作Ｓをより円滑に行わせ得るものとしている。詳細には垂下壁１１を樹脂により構成したものとして、垂下壁１１の厚み方向の弾性変形を利用して相対退避動作Ｓを行わせ得るように構成しており、樹脂の特性を利用して巾方向に撓む構成を好適に実現させている。
【００４３】
さらに、突起１２及び突条２２に、開放位置Ｏから係合位置Ｋへと移動させようとする外力が作用した場合に相対退避動作Ｓを行わせる退避案内面１５、２５をそれぞれ形成しているので、係合位置Ｋから開放位置Ｏへの移行のみならず、開放位置Ｏから係合位置Ｋへの移行に伴う相対退避動作Ｓをも円滑に行わせ得るものとしている。
【００４４】
加えてこの転写具Ａは、突起１２及び突条２２を回動機構Ｒの回動基端付近に対面させて位置付けることにより、回動先端側に転写ヘッドＨ等といった転写具Ａの主要な機構部品を好適に配置させている。
【００４５】
そして、本実施形態の変形例として、垂下壁１１に形成した突起１２において、案内縁１４に面取り加工を施した案内縁１４１並びに案内縁１４２を図８（ａ）及び図８（ｂ）にそれぞれ示す。案内縁１４１は平面状に面取り加工を施した態様を示している。また、案内縁１４２は、曲面状に面取り加工を施した態様を示しているものである。
【００４６】
これらのようなものであれば、案内縁１４１、１４２と摺接縁２４とに掛かる負荷を緩和して、より好適に係合面２３を巾方向に移動させ得るものとすることができる。また案内縁１４１、１４２と摺接縁２４とが継続的な使用によって摩耗や破損することを有効に回避し得るものとなっている。
【００４７】
また、本実施形態の別の変形例として、図９に示す係合装置Ｘを挙げることができる。このものは、転写具本体１に垂下壁１１とは別体に設けられた第一の部材たる弾性壁１１１を下方に突出させたものである。詳細には、垂下壁１１の一部分を巾方向に退避させた形状として、その退避部分に垂下壁１１とは別体に構成された弾性壁１１１を下方に突出させ、その突出端に上記実施形態と略同様の形状を成した突起１１２を形成したものである。ここで、垂下壁１１と弾性壁１１１とを別体に構成する態様は、例えば、垂下壁１１を枠体１０（図示せず）と一体に形成し弾性壁１１１を枠体１０に別途外付けするといった態様や、弾性壁１１１を枠体１０と一体に形成したものとして垂下壁１１を外付けとする態様、或いは垂下壁１１を枠体１０に一体に形成し、弾性壁１１１を別途ケース本体Ｃ１（図示せず）に一体に形成し下方へ垂下させたものとする等、種々の態様を挙げることができる。
【００４８】
このようなものであれば、垂下壁１１とは別体に構成された弾性壁１１１を本発明に係る第一の部材として当該弾性壁１１１の厚みや巾を適宜調節して設けることにより、垂下壁１１には紙片Ｐの位置決めを好適に行い得る剛性や形状を適宜設定しながら、弾性壁１１１には相対退避動作Ｓを好適に行い得る素材や形状等の態様を適宜設定して、係合位置Ｋと開放位置Ｏとを相互に好適に移行させ得る係合装置Ｘを構成することができる。
【００４９】
以上、本実施形態について説明したが、上述した実施形態のみに限定されるものではない。例えば、上記実施形態では位置制御手段として第一の部材と第二の部材とを回動させる回動機構を採用したが、進退動作やスライド動作によって第一の部材と第二の部材とを接離させるものであってもよい。その他、各部の具体的構成についても本発明の趣旨を逸脱しない範囲で種々変形が可能である。
【図面の簡単な説明】
【００５０】
【図１】本発明の一実施形態に係る転写具の全体図。
【図２】同上。
【図３】同実施形態に係る係合装置を示す要部拡大図。
【図４】同係合装置を示す部分拡大図。
【図５】同実施形態に係る構成説明図。
【図６】同実施形態に係る構成説明図。
【図７】同上。
【図８】同実施形態の変形例に係る要部拡大図。
【図９】同実施形態の別の変形例に係る構成説明図。
【符号の説明】
【００５１】
１…転写具本体
１１、１１１…第一の部材（垂下壁、弾性壁）
１２、１１２…第一の係合体、突条（突起）
１３、１１３…第一の係合面（係合面）
１４、１１４、１４１、１４２…案内縁
１４ａ、１１４ａ…一端側（一端部）
１４ｂ、１１４ｂ…他端側（他端部）
１５、２５…退避案内面
２…アーム
２１…第二の部材（側壁）
２２…第二の係合体、突条（突条）
２３…第二の係合面（係合面）
２４…摺接縁
Ａ…転写具
Ｈ…転写ヘッド
Ｋ…係合位置
Ｏ…開放位置
Ｓ…相対退避動作
Ｐ…転写対象物（紙片）
Ｒ…位置制御手段、回動機構（回動機構）
Ｔｂ…転写物（糊）
Ｘ…係合装置
【図１】
2006181983.tif 000003
【図２】
2006181983.tif 000004
【図３】
2006181983.tif 000005
【図４】
2006181983.tif 000006
【図５】
2006181983.tif 000007
【図６】
2006181983.tif 000008
【図７】
2006181983.tif 000009
【図８】
2006181983.tif 000010
【図９】
2006181983.tif 000011